【手続補正書】
【提出日】平成25年5月24日(2013.5.24)
【手続補正１】
【補正対象書類名】明細書
【補正対象項目名】００８４
【補正方法】変更
【補正の内容】
【００８４】
本開示は以下も含む。
［１］  第１の方向に沿って延びる複数の第１の微小構造を有する第１の主面と、
複数の第２の微小構造を有する、第１の主面とは反対側の第２の主面であって、約３％以下の光学的ヘイズ値、及び約８５％以下の光学的透明度を有する第２の主面と、を備え、約１．７５以上の平均有効透過率を有する光再偏向フィルム。
［２］  前記複数の第１の微小構造が、前記第１の方向に沿って延びる複数の直線プリズムを含む、上記［１］に記載の光再偏向フィルム。
［３］  前記複数の第１の微小構造のうちのある微小構造の最大の高さが、該複数の第１の微小構造のうちの別の微小構造の最大の高さと異なる、上記［１］に記載の光再偏向フィルム。
［４］  前記複数の第１の微小構造のうちの、ある微小構造の高さが前記第１の方向に沿って変化する、上記［１］に記載の光再偏向フィルム。
［５］  前記複数の第２の微小構造が複数の突起部を含む、上記［１］に記載の光再偏向フィルム。
［６］  前記複数の第２の微小構造が複数の凹部を含む、上記［１］に記載の光再偏向フィルム。
［７］  前記複数の第２の微小構造が前記第２の主面の少なくとも約８０％を覆う、上記［１］に記載の光再偏向フィルム。
［８］  前記複数の第２の微小構造が前記第２の主面の少なくとも約８５％を覆う、上記［１］に記載の光再偏向フィルム。
［９］  前記複数の第２の微小構造が前記第２の主面の少なくとも約９０％を覆う、上記［１］に記載の光再偏向フィルム。
［１０］  前記複数の第２の微小構造が前記第２の主面の少なくとも約９５％を覆う、上記［１］に記載の光再偏向フィルム。
［１１］  前記複数の第２の微小構造が規則的なパターンを形成する、上記［１］に記載の光再偏向フィルム。
［１２］  前記複数の第２の微小構造が不規則なパターンを形成する、上記［１］に記載の光再偏向フィルム。
［１３］  前記第２の主面の約７％以下が、約３．５°よりも大きい傾きの大きさを有する、上記［１］に記載の光再偏向フィルム。
［１４］  前記第２の主面の約５％以下が、約３．５°よりも大きい傾きの大きさを有する、上記［１］に記載の光再偏向フィルム。
［１５］  前記第２の主面の約３％以下が、約３．５°よりも大きい傾きの大きさを有する、上記［１］に記載の光再偏向フィルム。
［１６］  前記第２の主面の約４％以下が、約５°よりも大きい傾きの大きさを有する、上記［１］に記載の光再偏向フィルム。
［１７］  前記第２の主面の約２％以下が、約５°よりも大きい傾きの大きさを有する、上記［１］に記載の光再偏向フィルム。
［１８］  前記第２の主面の約１％以下が、約５°よりも大きい傾きの大きさを有する、上記［１］に記載の光再偏向フィルム。
［１９］  前記第２の主面が約２．５％以下の光学的ヘイズ値を有する、上記［１］に記載の光再偏向フィルム。
［２０］  前記第２の主面が約２％以下の光学的ヘイズ値を有する、上記［１］に記載の光再偏向フィルム。
［２１］  前記第２の主面が約１．５％以下の光学的ヘイズ値を有する、上記［１］に記載の光再偏向フィルム。
［２２］  前記第２の主面が約１％以下の光学的ヘイズ値を有する、上記［１］に記載の光再偏向フィルム。
［２３］  前記第２の主面が約８０％以下の光学的透明度を有する、上記［１］に記載の光再偏向フィルム。
［２４］  前記第２の主面が約７５％以下の光学的透明度を有する、上記［１］に記載の光再偏向フィルム。
［２５］  前記第２の主面が約７０％以下の光学的透明度を有する、上記［１］に記載の光再偏向フィルム。
［２６］  光再偏向フィルムの前記平均有効透過率が約１．８０以上である、上記［１］に記載の光再偏向フィルム。
［２７］  光再偏向フィルムの前記平均有効透過率が約１．８５以上である、上記［１］に記載の光再偏向フィルム。
［２８］  前記第２の微小構造の相当の割合が、約０．５μｍよりも大きい平均サイズを有する粒子上に配置されていない、上記［１］に記載の光再偏向フィルム。
［２９］  約０．５μｍよりも大きい平均サイズを有する粒子を含まない、上記［１］に記載の光再偏向フィルム。
［３０］  約０．２μｍ以下の平均サイズを有する複数の粒子を含む、上記［１］に記載の光再偏向フィルム。
［３１］  約０．１μｍ以下の平均サイズを有する複数の粒子を含む、上記［１］に記載の光再偏向フィルム。
［３２］  前記複数の第２の微小構造の平均の高さが約３μｍ以下である、上記［１］に記載の光再偏向フィルム。
［３３］  前記複数の第２の微小構造の平均の高さが約２μｍ以下である、上記［１］に記載の光再偏向フィルム。
［３４］  前記複数の第２の微小構造の平均の高さが約１μｍ以下である、上記［１］に記載の光再偏向フィルム。
［３５］  前記複数の第２の微小構造の微小構造が、約６°以下の半値半幅（ＨＷＨＭ）を有する傾き分布を有する、上記［１］に記載の光再偏向フィルム。
［３６］  前記複数の第２の微小構造の微小構造が、約５°以下の半値半幅（ＨＷＨＭ）を有する傾き分布を有する、上記［１］に記載の光再偏向フィルム。
［３７］  前記複数の第２の微小構造の微小構造が、約４°以下の半値半幅（ＨＷＨＭ）を有する傾き分布を有する、上記［１］に記載の光再偏向フィルム。
［３８］  互いに反対側となる第１及び第２の主面を有する基材層と、
前記基材層の前記第１の主面上に配置され、前記光再偏向フィルムの前記第１の主面を含む第１の層と、
前記基材層の前記第２の主面上に配置され、前記光再偏向フィルムの前記第２の主面を含む艶消し層と、を備える、上記［１］に記載の光再偏向フィルム。
［３９］  前記第１の層が約１．５以上の屈折率を有する、上記［３８］に記載の光再偏向フィルム。
［４０］  前記第１の層が約１．５５以上の屈折率を有する、上記［３８］に記載の光再偏向フィルム。
［４１］  前記第１の層が約１．６以上の屈折率を有する、上記［３８］に記載の光再偏向フィルム。
［４２］  前記第１の層が約１．６５以上の屈折率を有する、上記［３８］に記載の光再偏向フィルム。
［４３］  前記第１の層が約１．７以上の屈折率を有する、上記［３８］に記載の光再偏向フィルム。
［４４］  前記第１の層が約１．５〜約１．８の範囲の屈折率を有する、上記［３８］に記載の光再偏向フィルム。
［４５］  前記艶消し層が約１．４以上の屈折率を有する、上記［３８］に記載の光再偏向フィルム。
［４６］  前記艶消し層が約１．５以上の屈折率を有する、上記［３８］に記載の光再偏向フィルム。
［４７］  前記艶消し層が約１．４〜約１．６の範囲の屈折率を有する、上記［３８］に記載の光再偏向フィルム。
［４８］  前記艶消し層が、前記複数の第２の微小構造の平均サイズよりも少なくとも５倍小さい平均サイズを有する複数の粒子を含む、上記［３８］に記載の光再偏向フィルム。
［４９］  前記複数の粒子が、前記複数の第２の微小構造の平均サイズよりも少なくとも１０倍小さい平均サイズを有する、上記［４８］に記載の光再偏向フィルム。
［５０］  前記艶消し層が粒子を含む場合、前記艶消し層の平均の厚さが前記粒子の平均サイズよりも少なくとも２μｍ大きい、上記［３８］に記載の光再偏向フィルム。
［５１］  前記艶消し層が粒子を含む場合、艶消し層の平均の厚さが前記粒子の平均サイズよりも少なくとも２倍大きい、上記［３８］に記載の光再偏向フィルム。
［５２］  前記第２の主面が第２の主面を横切るある傾き分布を有し、該傾き分布が約４°以下の半値半幅（ＨＷＨＭ）を有する、上記［３８］に記載の光再偏向フィルム。
［５３］  前記ＨＷＨＭが約３．５°以下である、上記［５２］に記載の光再偏向フィルム。
［５４］  前記ＨＷＨＭが約３°以下である、上記［５２］に記載の光再偏向フィルム。
［５５］  前記ＨＷＨＭが約２．５°以下である、上記［５２］に記載の光再偏向フィルム。
［５６］  前記ＨＷＨＭが約２°以下である、上記［５２］に記載の光再偏向フィルム。
［５７］  光源と、
前記光源からの光を受光する上記［１］に記載の第１の光再偏向フィルムと、
前記第１の光再偏向フィルム上に配置された上記［１］に記載の第２の光再偏向フィルムと、を備え、前記第１の光再偏向フィルムの前記第１の方向が前記第２の光再偏向フィルムの前記第１の方向と異なる、バックライト。
［５８］  前記第１及び第２の光再偏向フィルムのそれぞれの第２の主面が前記光源に面し、前記第１及び第２の光再偏向フィルムのそれぞれの第１の主面が前記光源から遠ざかる方向に面している、上記［５７］に記載のバックライト。
［５９］  光再偏向フィルムであって、
複数の直線状微小構造を有する第１の主面と、
複数の第２の微小構造を有する、前記第１の主面と反対側の第２の主面であって、約３％以下の光学的ヘイズ値及び約８５％以下の光学的透明度を有する第２の主面と、を備え、前記光再偏向フィルムの平均有効透過率が、平滑な第２の主面を有する以外は同じ構造を有する光再偏向フィルムと比較してその平均有効透過率以上であるか、又はその平均有効透過率よりも約１．５％以下だけ小さい、光再偏向フィルム。
［６０］  平滑な第２の主面を有する以外は同じ構造を有する光再偏向フィルムと比較してその平均有効透過率よりも約１％以下だけ小さい平均有効透過率を有する、上記［５９］に記載の光再偏向フィルム。
［６１］  前記複数の第２の微小構造が幾何学的対称性及び非対称的な傾き分布を有する、上記［５９］に記載の光再偏向フィルム。
［６２］  前記複数の第２の微小構造が幾何学的非対称性及び対称的な傾き分布を有する、上記［５９］に記載の光再偏向フィルム。
［６３］  光学積層体であって、
第１の主面と、反対側の第２の主面と、を有する第１の光再偏向フィルムであって、前記第１の主面が第１の方向に沿って延びる第１の複数の微小構造を有し、前記第２の主面が第２の複数の微小構造を有する、第１の光再偏向フィルムと、
第３の主面と、反対側の第４の主面と、を有する第２の光再偏向フィルムであって、前記第３の主面が前記第１の光再偏向フィルムの前記第２の主面に面するとともに前記第１の方向と異なる第２の方向に沿って延びる第３の複数の微小構造を有し、前記第４の主面が第４の複数の微小構造を有する、第２の光再偏向フィルムと、を備え、
前記第２及び第４の主面のそれぞれが、約３％以下の光学的ヘイズ値及び約８５％以下の光学的透明度を有する、光学積層体。
［６４］  前記第２及び第４の主面のそれぞれが約２．５％以下の光学的ヘイズ値を有する、上記［６３］に記載の光学積層体。
［６５］  前記第２及び第４の主面のそれぞれが約２％以下の光学的ヘイズ値を有する、上記［６３］に記載の光学積層体。
［６６］  前記第２及び第４の主面のそれぞれが約１．５％以下の光学的ヘイズ値を有する、上記［６３］に記載の光学積層体。
［６７］  前記第２及び第４の主面のそれぞれが約１％以下の光学的ヘイズ値を有する、上記［６３］に記載の光学積層体。
［６８］  前記第２及び第４の主面のそれぞれが約８０％以下の光学的透明度を有する、上記［６３］に記載の光学積層体。
［６９］  前記第２及び第４の主面のそれぞれが約７５％以下の光学的透明度を有する、上記［６３］に記載の光学積層体。
［７０］  前記第２及び第４の主面のそれぞれが約７０％以下の光学的透明度を有する、上記［６３］に記載の光学積層体。
［７１］  約２．５以上の平均有効透過率を有する、上記［６３］に記載の光学積層体。
［７２］  約２．６以上の平均有効透過率を有する、上記［６３］に記載の光学積層体。
［７３］  約２．７以上の平均有効透過率を有する、上記［６３］に記載の光学積層体。
［７４］  光学積層体であって、
第１の主面と、反対側の第２の主面と、を有する第１の光再偏向フィルムであって、前記第１の主面が第１の方向に沿って延びる第１の複数の微小構造を有する、第１の光再偏向フィルムと、
第３の主面と、反対側の第４の主面とを有する第２の光再偏向フィルムであって、前記第３の主面が前記第１の光再偏向フィルムの前記第２の主面に面するとともに前記第１の方向と異なる第２の方向に沿って延びる第３の複数の微小構造を有する第２の光再偏向フィルムと、を備え、前記第２及び第４の主面のそれぞれが、約３％以下の光学的ヘイズ値及び約８５％以下の光学的透明度を有し、光学積層体の平均有効透過率が、平滑な第２及び第４の主面を有する以外は同じ構造を有する光学積層体と比較してその平均有効透過率以上であるか、又はその平均有効透過率よりも約１％以下だけ小さい、光学積層体。
［７５］  平滑な第２及び第４の主面を有する以外は同じ構造を有する光学積層体と比較してその平均有効透過率よりも約０．５％以下だけ小さい平均有効透過率を有する、上記［７４］に記載の光学積層体。
［７６］  平滑な第２及び第４の主面を有する以外は同じ構造を有する光学積層体と比較してその平均有効透過率よりも約０．２５％以下だけ小さい平均有効透過率を有する、上記［７４］に記載の光学積層体。
［７７］  平滑な第２及び第４の主面を有する以外は同じ構造を有する光学積層体と比較してその平均有効透過率以上である平均有効透過率を有する、上記［７４］に記載の光学積層体。
［７８］  幾何学的対称性及び非対称的な傾き分布を有する構造化主面を有する光学フィルム。
［７９］  約３％以下の光学的ヘイズ値及び約８５％以下の光学的透明度を有する、上記［７８］に記載の光学フィルム。
［８０］  幾何学的非対称性及び対称的な傾き分布を有する構造化主面を有する光学フィルム。
［８１］  約３％以下の光学的ヘイズ値及び約８５％以下の光学的透明度を有する、上記［８０］に記載の光学フィルム。
【手続補正２】
【補正対象書類名】特許請求の範囲
【補正対象項目名】全文
【補正方法】変更
【補正の内容】
【特許請求の範囲】
【請求項１】
第１の方向に沿って延びる複数の第１の微小構造を有する第１の主面と、
複数の第２の微小構造を有する、第１の主面とは反対側の第２の主面であって、約３％以下の光学的ヘイズ値、及び約８５％以下の光学的透明度を有する第２の主面と、を備え、約１．７５以上の平均有効透過率を有する光再偏向フィルム。
【請求項２】
光再偏向フィルムであって、
複数の直線状微小構造を有する第１の主面と、
複数の第２の微小構造を有する、前記第１の主面と反対側の第２の主面であって、約３％以下の光学的ヘイズ値及び約８５％以下の光学的透明度を有する第２の主面と、を備え、前記光再偏向フィルムの平均有効透過率が、平滑な第２の主面を有する以外は同じ構造を有する光再偏向フィルムと比較してその平均有効透過率以上であるか、又はその平均有効透過率よりも約１．５％以下だけ小さい、光再偏向フィルム。
【請求項３】
光学積層体であって、
第１の主面と、反対側の第２の主面と、を有する第１の光再偏向フィルムであって、前記第１の主面が第１の方向に沿って延びる第１の複数の微小構造を有し、前記第２の主面が第２の複数の微小構造を有する、第１の光再偏向フィルムと、
第３の主面と、反対側の第４の主面と、を有する第２の光再偏向フィルムであって、前記第３の主面が前記第１の光再偏向フィルムの前記第２の主面に面するとともに前記第１の方向と異なる第２の方向に沿って延びる第３の複数の微小構造を有し、前記第４の主面が第４の複数の微小構造を有する、第２の光再偏向フィルムと、を備え、
前記第２及び第４の主面のそれぞれが、約３％以下の光学的ヘイズ値及び約８５％以下の光学的透明度を有する、光学積層体。